(57)【要約】      （修正有）【課題】大型及び小型ペットボトル等を効率良く収納し得る多機能な収納装置を提供する。【解決手段】収納凹部１３に対して、何も取付けない状態では、物品を収納することができる。また、収納凹部１３に対して、大型ペットボトル等用保持部材１５を取付けた状態にすると、大型ペットボトル等を１本まで挿入保持することができる。更に、収納凹部１３に対して、小型ペットボトル等用保持部材１７を取付けた状態にすると、小型ペットボトル等を２本まで挿入保持することができる。これにより、収納凹部１３をカップホルダ機能も備えた多機能な収納装置として効率良く使用することが可能となる。特に、これまで収納することが予定されていなかった大型ペットボトル等を効率良く収納することが可能となる。【選択図】図１
2009006954.tif 000002
【特許請求の範囲】
【請求項１】
収納凹部に対し、１本の大型ペットボトル等を挿入保持可能な大型ペットボトル等用保持部材と、２本の小型ペットボトル等を挿入保持可能な小型ペットボトル等用保持部材とを、選択的に取付・取外可能に備えたことを特徴とする車両用収納装置。
【請求項２】
前記大型ペットボトル等用保持部材が、１本の大型ペットボトル等を挿入保持可能な大型ペットボトル等用挿入孔部を有する大型ペットボトル等用面板部とされ、
前記小型ペットボトル等用保持部材が、２本の小型ペットボトル等を挿入保持可能な小型ペットボトル等用挿入孔部を有する小型ペットボトル等用面板部とされると共に、
大型ペットボトル等用面板部および小型ペットボトル等用面板部が、側面視ほぼ直角二等辺三角形状をした一対の側板部の直交する二辺間にそれぞれ連結配置され、
且つ、側面視ほぼ直角二等辺三角形状をした一対の側板部の斜辺間に、面板部の無い無面部が設けられることにより、
収納凹部に対し、面の向きを変えて取付可能な一体型の多機能保持部材が構成されたことを特徴とする請求項１記載の車両用収納装置。
【発明の詳細な説明】
【技術分野】
【０００１】
この発明は、車両用収納装置に関するものである。
【背景技術】
【０００２】
自動車などの車両には、車室内にカップホルダ装置などの車両用収納装置が備えられている（例えば、特許文献１参照）。
【０００３】
このようなカップホルダ装置にあっては、大型ペットボトル等を収容し得るようにしたものは、まだ一般化されていない。
【特許文献１】特開２００３−４８４７３
【発明の開示】
【発明が解決しようとする課題】
【０００４】
大型ペットボトル等を収容する場合、例えば、図８に示すように、センターコンソール１などに対して、通常の飲料容器用凹部２を２本分横並びに設けると共に、これとは別に、大型ペットボトル等用凹部３を１本分設けることなどが考えられるが、このようにすると、効率良く大型ペットボトル等を収容することができないという問題が生じてしまう。
【課題を解決するための手段】
【０００５】
請求項１に記載された発明では、収納凹部に対し、１本の大型ペットボトル等を挿入保持可能な大型ペットボトル等用保持部材と、２本の小型ペットボトル等を挿入保持可能な小型ペットボトル等用保持部材とを、選択的に取付・取外可能に備えた車両用収納装置を特徴としている。
【０００６】
請求項２に記載された発明では、前記大型ペットボトル等用保持部材が、１本の大型ペットボトル等を挿入保持可能な大型ペットボトル等用挿入孔部を有する大型ペットボトル等用面板部とされ、前記小型ペットボトル等用保持部材が、２本の小型ペットボトル等を挿入保持可能な小型ペットボトル等用挿入孔部を有する小型ペットボトル等用面板部とされると共に、大型ペットボトル等用面板部および小型ペットボトル等用面板部が、側面視ほぼ直角二等辺三角形状をした一対の側板部の直交する二辺間にそれぞれ連結配置され、且つ、側面視ほぼ直角二等辺三角形状をした一対の側板部の斜辺間に、面板部の無い無面部が設けられることにより、収納凹部に対し、面の向きを変えて取付可能な一体型の多機能保持部材が構成された請求項１記載の車両用収納装置を特徴としている。
【発明の効果】
【０００７】
請求項１の発明によれば、収納凹部に対し、１本の大型ペットボトル等を挿入保持可能な大型ペットボトル等用保持部材と、２本の小型ペットボトル等を挿入保持可能な小型ペットボトル等用保持部材とを、選択的に取付・取外可能に備えたことにより、以下のような作用効果を得ることができる。即ち、収納凹部に対して、何も取付けない状態では、物品を収納することができる。また、収納凹部に対して、大型ペットボトル等用保持部材を取付けた状態にすると、大型ペットボトル等を１本まで挿入保持することができる。更に、収納凹部に対して、小型ペットボトル等用保持部材を取付けた状態にすると、小型ペットボトル等を２本まで挿入保持することができる。これにより、収納凹部をカップホルダ機能も備えた多機能な収納装置として効率良く使用することが可能となる。特に、これまで収納することが予定されていなかった大型ペットボトル等を効率良く収納することが可能となる。
【０００８】
請求項２の発明によれば、前記大型ペットボトル等用保持部材が、１本の大型ペットボトル等を挿入保持可能な大型ペットボトル等用挿入孔部を有する大型ペットボトル等用面板部とされ、前記小型ペットボトル等用保持部材が、２本の小型ペットボトル等を挿入保持可能な小型ペットボトル等用挿入孔部を有する小型ペットボトル等用面板部とされると共に、大型ペットボトル等用面板部および小型ペットボトル等用面板部が、側面視ほぼ直角二等辺三角形状をした一対の側板部の直交する二辺間にそれぞれ連結配置され、且つ、側面視ほぼ直角二等辺三角形状をした一対の側板部の斜辺間に、面板部の無い無面部が設けられることにより、収納凹部に対し、面の向きを変えて取付可能な一体型の多機能保持部材が構成されたことにより、以下のような作用効果を得ることができる。即ち、収納凹部に対して、何も取付けない状態では、物品を収納することができる。また、収納凹部に対して、無面部を上にした状態で多機能保持部材を取付けると、上記と同様に物品を収納することができると共に、収納凹部の収納容積を余り減らすことなく、且つ、邪魔にならないように多機能保持部材を収納することができる。そして、収納凹部に対して、大型ペットボトル等用面板部を上にした状態で多機能保持部材を取付けると、大型ペットボトル等を１本まで挿入保持することができる。更に、収納凹部に対して、小型ペットボトル等用面板部を上にした状態で多機能保持部材を取付けると、小型ペットボトル等を２本まで挿入保持することができる。これにより、収納凹部をカップホルダ機能も備えた多機能な収納装置として効率良く使用することが可能となる。特に、これまで収納することが予定されていなかった大型ペットボトル等を効率良く収納することが可能となる。また、無面部と大型ペットボトル等用面板部と小型ペットボトル等用面板部とをまとめて一体型の多機能保持部材としたことにより、収納凹部に対して、多機能保持部材を、面の向きを変えて取付けるだけで、収納する物品等に対応させることができるので、使い勝手が良く、利便性が高い。
【発明を実施するための最良の形態】
【０００９】
以下、本発明を具体化した実施例について、図示例と共に説明する。
【実施例】
【００１０】
図１〜図７は、この発明の実施例を示すものである。
【００１１】
まず、構成について説明する。
【００１２】
図１に示すように、自動車などの車両における、車室内に車両用収納装置１１を設ける。
【００１３】
この車両用収納装置１１は、例えば、運転席と助手席との間に設置されるセンターコンソール１２の部分などに設けられる。
【００１４】
そのために、センターコンソール１２には、収納凹部１３が設けられる。
【００１５】
そして、この収納凹部１３に対し、飲料容器保持部材として、１本の大型ペットボトル等を挿入保持可能な大型ペットボトル等用保持部材１５と、２本の小型ペットボトル等を挿入保持可能な小型ペットボトル等用保持部材１７とを、選択的に取付・取外可能に備えるようにする。
【００１６】
ここで、大型ペットボトル等は、主に、１．５Ｌ容器を想定している。但し、大型ペットボトル等は、１Ｌ容器や、これに類する大きさを有するその他のものなどであっても良い。また、小型ペットボトル等は、主に、５００ｍｌ容器を想定している。但し、小型ペットボトル等については、３５０ｍｌ容器や缶飲料やカップ類やこれに類する大きさを有するその他のものなどであっても良い。大型ペットボトル等や小型ペットボトル等は軸線を上下方向へ向けた状態で上方から挿入保持される。
【００１７】
より具体的には、以下のような構成とする。
【００１８】
即ち、大型ペットボトル等用保持部材１５を、図２、図３に示すように、１本の大型ペットボトル等を挿入保持可能な大型ペットボトル等用挿入孔部２１を有する大型ペットボトル等用面板部２２とする。ここで、大型ペットボトル等用挿入孔部２１は、飲料容器挿入孔部として機能するものである。大型ペットボトル等には、角型のものや丸型のものなどが存在するので、大型ペットボトル等用挿入孔部２１は、これらの複合形状などとしても良い。大型ペットボトル等用面板部２２は、大型ペットボトル等の側部を包囲可能な側枠部材として機能するものである。
【００１９】
また、小型ペットボトル等用保持部材１７を、図４に示すように、２本の小型ペットボトル等を挿入保持可能な小型ペットボトル等用挿入孔部２３を有する小型ペットボトル等用面板部２４とする。ここで、小型ペットボトル等用挿入孔部２３は、飲料容器挿入孔部として機能するものである。小型ペットボトル等用挿入孔部２３は、例えば、横並びに２個離して設けるようにする。小型ペットボトル等用面板部２４は、２本の小型ペットボトル等の側部を包囲可能な側枠部材として機能するものである。
【００２０】
そして、これら大型ペットボトル等用面板部２２および小型ペットボトル等用面板部２４が、図２〜図５に示すように、側面視ほぼ直角二等辺三角形状をした一対の側板部２６の直交する二辺間にそれぞれ連結配置されるようにする。一対の側板部２６は、ほぼ平行なものとされる。
【００２１】
且つ、側面視ほぼ直角二等辺三角形状をした一対の側板部２６の斜辺間に、図５に示すように、面板部などの無い無面部２８が設けられるようにする。
【００２２】
これら、大型ペットボトル等用面板部２２、小型ペットボトル等用面板部２４、一対の側板部２６、無面部２８などにより、一体型の多機能保持部材３１が構成される。
【００２３】
この一体型の多機能保持部材３１を、図１、図６、図７に示すように、収納凹部１３に対し、面（大型ペットボトル等用面板部２２、小型ペットボトル等用面板部２４、無面部２８）の向きを変えて取付可能に構成する。
【００２４】
そのために、収納凹部１３を、その底面３３、および、後側面３４または前側面３５の少なくとも一方または両方（この場合には、後側面３４とされている。以下同様。なお、前側面３５については、小さな段差部とされている）が、大型ペットボトル等用面板部２２および小型ペットボトル等用面板部２４と対応する形状および大きさなどとなるように構成する。
【００２５】
また、収納凹部１３を、その左右側面３６に、一対の側板部２６と対応する形状および大きさの側板対応部３７を設けるようにする。この側板対応部３７は、底面３３に沿った辺部と後側面３４に沿った辺部とを直交する二辺とする、側面視ほぼ直角二等辺三角形状を呈している。側板対応部３７については、収納凹部１３の左右側面３６自体を上記形状としても、左右側面３６の内部に設けるようにしても良い。なお、前後左右は、説明の都合上、車体前後方向および車幅方向を基準としているが、これに限るものではない。
【００２６】
そして、収納凹部１３と多機能保持部材３１との間に、収納凹部１３に対して多機能保持部材３１を安定状態で保持可能な保持部４１を設ける。
【００２７】
この保持部４１は、例えば、多機能保持部材３１の各側板部２６における斜辺部近傍部分から外側方へ向けて突設された取付用突起部４２と、収納凹部１３の側板対応部３７における斜辺部分の対応する位置に設けられた突起受凹部４３とを備えている。取付用突起部４２は、側板部２６の斜辺部近傍部分に対し、対称的に設けられる。この場合には、斜辺部の中央部に１箇所と、この中央部から等距離となる２箇所の両端近傍部との、合計３箇所に設けられている。
【００２８】
また、保持部４１として、多機能保持部材３１の各側板部２６における斜辺部の両端部分に、収納凹部１３における底面３３および後側面３４の対応する部分に対して線当可能な当部４５，４６が切断形成されている。なお、この当部４５，４６の部分に対し、仮想線などで示すように、面当可能となるように帯状横梁部４７を架設するようにしても良い。
【００２９】
次に、この実施例の作用について説明する。
【００３０】
この実施例によれば、収納凹部１３に対し、１本の大型ペットボトル等を挿入保持可能な大型ペットボトル等用保持部材１５と、２本の小型ペットボトル等を挿入保持可能な小型ペットボトル等用保持部材１７とを、選択的に取付・取外可能に備えたことにより、以下のような作用効果を得ることができる。
【００３１】
即ち、収納凹部１３に対して、何も取付けない状態では、物品を収納することができる。また、収納凹部１３に対して、大型ペットボトル等用保持部材１５を取付けた状態にすると、大型ペットボトル等を１本まで挿入保持することができる。更に、収納凹部１３に対して、小型ペットボトル等用保持部材１７を取付けた状態にすると、小型ペットボトル等を２本まで挿入保持することができる。これにより、収納凹部１３をカップホルダ機能も備えた多機能な収納装置として効率良く使用することが可能となる。特に、これまで収納することが予定されていなかった大型ペットボトル等を効率良く収納することが可能となる。
【００３２】
より具体的には、大型ペットボトル等用保持部材１５が、１本の大型ペットボトル等を挿入保持可能な大型ペットボトル等用挿入孔部２１を有する大型ペットボトル等用面板部２２とされ、小型ペットボトル等用保持部材１７が、２本の小型ペットボトル等を挿入保持可能な小型ペットボトル等用挿入孔部２３を有する小型ペットボトル等用面板部２４とされると共に、大型ペットボトル等用面板部２２および小型ペットボトル等用面板部２４が、側面視ほぼ直角二等辺三角形状をした一対の側板部２６の直交する二辺間にそれぞれ連結配置され、且つ、側面視ほぼ直角二等辺三角形状をした一対の側板部２６の斜辺間に、面板部の無い無面部２８が設けられることにより、収納凹部１３に対し、面の向きを変えて保持可能な一体型の多機能保持部材３１が構成されたことによって、以下のような作用効果を得ることができる。
【００３３】
即ち、収納凹部１３に対して、何も取付けない状態では、物品を収納することができる。また、収納凹部１３に対して、図７に示すように、無面部２８を上にした状態で多機能保持部材３１を取付けると、上記と同様に物品を収納することができると共に、収納凹部１３の収納容積を余り減らすことなく、且つ、邪魔にならないように多機能保持部材３１を収納することができる（物品収納モード）。
【００３４】
そして、収納凹部１３に対して、図１に示すように、大型ペットボトル等用面板部２２を上にした状態で多機能保持部材３１を取付けると、大型ペットボトル等を１本まで挿入保持することができる（大型ペットボトル等収納モード）。
【００３５】
更に、収納凹部１３に対して、図６に示すように、小型ペットボトル等用面板部２４を上にした状態で多機能保持部材３１を取付けると、小型ペットボトル等を２本まで挿入保持することができる（小型ペットボトル等収納モード）。
【００３６】
これにより、収納凹部１３をカップホルダ機能も備えた多機能な収納装置として効率良く使用することが可能となる。特に、これまで収納することが予定されていなかった大型ペットボトル等を効率良く収納することが可能となる。
【００３７】
また、無面部２８と大型ペットボトル等用面板部２２と小型ペットボトル等用面板部２４とをまとめて一体型の多機能保持部材３１としたことにより、収納凹部１３に対して、多機能保持部材３１を、面の向きを変えて取付けるだけで、収納する物品等に対応させることができるので、使い勝手が良く、利便性が高い。
【００３８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００３９】
【図１】本発明の実施例にかかる車両用収納装置の大型ペットボトル等用保持部材を取付けた状態の側面図である。
【図２】図１の多機能保持部材を、大型ペットボトル等用面板部を上にした状態の斜視図である。
【図３】図２を異なる方向から見た斜視図である。
【図４】図１の多機能保持部材を、小型ペットボトル等用面板部を上にした状態の斜視図である。
【図５】図１の多機能保持部材を、無面部を上にした状態の斜視図である。
【図６】小型ペットボトル等用保持部材を取付けた状態の図１と同様の側面図である。
【図７】収納凹部を使用し得るようにした状態の図１と同様の側面図である。
【図８】発明が解決しようとする課題の欄の説明に用いたカップホルダ装置の一例を示すセンターコンソールの斜視図である。
【符号の説明】
【００４０】
１３  収納凹部
１５  大型ペットボトル等用保持部材
１７  小型ペットボトル等用保持部材
２１  大型ペットボトル等用挿入孔部
２２  大型ペットボトル等用面板部
２３  小型ペットボトル等用挿入孔部
２４  小型ペットボトル等用面板部
２６  側板部
２８  無面部
３１  多機能保持部材
【図１】
2009006954.tif 000003
【図２】
2009006954.tif 000004
【図３】
2009006954.tif 000005
【図４】
2009006954.tif 000006
【図５】
2009006954.tif 000007
【図６】
2009006954.tif 000008
【図７】
2009006954.tif 000009
【図８】
2009006954.tif 000010